(57)【要約】  被測定導体Ｍの周りに環状に配置される磁気コア（１０１）と、２つの端子（１０５ａ、１０５ｂ）を有し、磁気コア（１０１）に巻き付けられている検出コイル部（１０２）と、上記２つの端子（１０５ａ、１０５）の間に互いに並列に接続されたコンデンサ（１０３）および抵抗（１０４）とを備えている。
2014136589.tif 000002
【特許請求の範囲】
【請求項１】
当該電流センサによって電流を測定される被測定導体の周りに環状に配置される磁気コアと、
第１の端子および第２の端子を有するコイル部であって、上記磁気コアに巻き付けられているコイル部と、
上記第１の端子と上記第２の端子との間に互いに並列に接続されたコンデンサおよび抵抗と、
を備えたことを特徴とする電流センサ。
【請求項２】
請求項１に記載の電流センサと、
上記第１の端子と上記第２の端子との間の端子間電圧を測定する電圧測定部と、
上記端子間電圧と上記被測定導体を流れる被測定電流との対応関係を示す端子間電圧−被測定電流テーブルを記憶した記憶部と、
上記電圧測定部および上記記憶部から上記端子間電圧および上記端子間電圧−被測定電流テーブルを取得し、上記端子間電圧−被測定電流テーブルに基づいて、上記端子間電圧から上記被測定電流を算出する被測定電流算出手段と、
を備えたことを特徴とする電流測定装置。
【請求項３】
交流電源を備えた電気回路であるＡＣ系統からの漏れ電流を検出する漏電検出装置であって、
上記ＡＣ系統の接地線に対して、上記交流電源が発生させる系統周波数とは異なる注入周波数を有する交流電圧を印加することにより、上記ＡＣ系統に注入信号を注入する信号注入部と、
上記被測定電流として上記漏れ電流を測定する請求項２に記載の電流測定装置と、
上記電流測定装置が測定した上記漏れ電流から、上記系統周波数の信号成分を除去する特定周波数成分除去手段と、
上記特定周波数成分除去手段によって上記系統周波数の信号成分が除去された上記漏れ電流を、上記注入信号の特定位相と同期して検出することにより、上記注入周波数の信号成分である注入信号成分を上記漏れ電流から抽出する特定周波数成分抽出手段と、
上記特定周波数成分抽出手段によって抽出された上記注入信号成分を、上記交流電圧に対する対地絶縁抵抗の応答分と、上記交流電圧に対する対地静電容量の応答分とに分離して、上記対地絶縁抵抗の応答分から対地絶縁抵抗を算出する漏電情報算出手段と、
を備えたことを特徴とする漏電検出装置。
【発明の詳細な説明】
【技術分野】
【０００１】
本発明は、電流センサ、電流測定装置、および漏電検出装置に関する。
【背景技術】
【０００２】
被測定導体を流れる電流を測定する電流センサには、さまざまな種類のものが存在している。【０００３】
例えば、特許文献１には、図６に示す電流測定装置９００が記載されている。上記電流測定装置９００は、磁気コア１１と検出コイル１２とシャント抵抗Ｒ１とを有する電流センサ１０を備えている。電流（一次電流）が被測定導体Ｍを流れたとき、電磁誘導によって、シャント抵抗Ｒ１および測定器本体２０の端子２０ａに誘導電流が流れる。測定器本体２０は、上記誘導電流に基づいて、シャント抵抗Ｒ１に印加される印加電圧を算出する。さらに、測定器本体２０は、上記印加電圧から、被測定導体Ｍを流れる一次電流を算出する。【０００４】
また、特許文献２および３には、電流センサ（ＣＴ、ＭＩ素子）から測定器本体（回路）に入力された電流または電圧を、電圧フォロア回路などの増幅器によって増幅して、上記増幅器からの出力信号を測定する構成が記載されている。
【先行技術文献】
【特許文献】
【０００５】
【特許文献１】日本国公開特許公報「特開２０１２−    ６８１９１号公報（２０１２年４月  ５日公開）」
【特許文献２】日本国公開特許公報「特開２００２−２６２５８１１号公報（２００２年９月１３日公開）」
【特許文献３】日本国公開特許公報「特開２００４−  １７０２２０号公報（２００４年６月１７日公開）」
【特許文献４】日本国公開特許公報「特開２０１０−    ６６１６２号公報（２０１０年３月２５日公開）」
【発明の概要】
【発明が解決しようとする課題】
【０００６】
ところで、特許文献１では、端子２０ａを介して測定器本体２０に入力された上記誘導電流は、電荷としてコンデンサ２２ａに蓄積される。測定器本体２０は、コンデンサ２２ａに蓄積された電荷量に基づいて、上記印加電圧を算出する。【０００７】
しかしながら、特許文献１の電流測定装置９００では、測定器本体２０が高入力インピーダンスを有する場合、上記誘導電流の大部分が、端子２０ａではなくシャント抵抗Ｒ１を流れることになる。これにより、上記誘導電流のエネルギーの大部分は、シャント抵抗Ｒ１によって消費される。【０００８】
一方、端子２０ａを通ってコンデンサ２２ａに流入する上記誘導電流のエネルギーはわずかである。被測定導体Ｍを流れる電流が微弱である場合、上記誘導電流のエネルギーは微小となる。言い換えれば、上記誘導電流はＳ／Ｎが悪い。そのため、コンデンサ２２ａに蓄積された電荷の有するエネルギーもわずかである。その結果、このように微小なエネルギーの電荷の電荷量から測定された上記印加電圧の精度は低くなる。さらに、精度の低い上記印加電圧から算出される上記一次電流の精度も低くなる。【０００９】
また、特許文献２および３に記載の構成では、測定器本体への入力信号の電圧は、上記増幅器が備えたアンプの電源電圧以下に制限される。そのため、上記電源電圧と同程度以上の電圧のパルスノイズが上記入力信号に重なっている場合、上記入力信号の測定精度が低くなるという問題がある。【００１０】
本発明は、上記の課題に鑑みてなされたものであり、その目的は、微小な電流を精度よく測定することができる電流センサ等を提供することにある。
【課題を解決するための手段】
【００１１】
上記の課題を解決するために、本発明の一態様に係る電流センサは、当該電流センサによって電流を測定される被測定導体の周りに環状に配置される磁気コアと、第１の端子および第２の端子を有するコイル部であって、上記磁気コアに巻き付けられているコイル部と、上記第１の端子と上記第２の端子との間に互いに並列に接続されたコンデンサおよび抵抗と、を備えた構成である。【００１２】
上記の構成によれば、被測定導体を電流（被測定電流）が流れることによって磁気コア中の磁束が変化する。この磁束の変化は、コイル部、コンデンサ、および抵抗が接続された電気回路を流れる誘導電流を誘導励起する。【００１３】
上記誘導電流の一部は、上記コンデンサに電荷として蓄積される。上記コンデンサに上記電荷が蓄積されることによって、上記コンデンサの電極間に電極間電圧が発生する。上記電極間電圧は、第１の端子と第２の端子との間に印加される。従って、上記コンデンサは、上記誘導電流を上記電極間電圧に変換するものである。【００１４】
さて、上記電流センサを備えた電流測定装置は、上記電極間電圧から、上記被測定電流を算出する。比較として、特許文献１の電流測定装置は、電流センサのシャント抵抗に印加される電圧から被測定電流を算出する。このとき、上記シャント抵抗を流れる誘導電流のエネルギーの一部が散逸することになる。その結果、上記電流センサから測定器本体に流入する電流のエネルギーが小さくなる（Ｓ／Ｎが悪くなる）ことにより、上記被測定電流の算出精度が悪くなる。【００１５】
一方、本発明に係る電流センサでは、上記コンデンサに蓄積された上記誘導電流のエネルギーは散逸しない。また、特に、抵抗の抵抗値が、シャント抵抗の抵抗値と比較して大きい場合、上記誘導電流は上記抵抗をほとんど流れない。そのため、上記電流センサ全体からの、上記誘導電流のエネルギーの散逸は小さくなる。従って、比較的高いエネルギーの（Ｓ／Ｎのよい）電流が、上記電流測定装置に流入することになる。これにより、上記被測定電流を精度よく測定することができる。【００１６】
また、上記の課題を解決するために、本発明の一態様に係る電流測定装置は、上記電流センサと、上記第１の端子と上記第２の端子との間の端子間電圧を測定する電圧測定部と、上記端子間電圧と上記被測定導体を流れる被測定電流との対応関係を示す端子間電圧−被測定電流テーブルを記憶した記憶部と、上記電圧測定部および上記記憶部から上記端子間電圧および上記端子間電圧−被測定電流テーブルを取得し、上記端子間電圧−被測定電流テーブルに基づいて、上記端子間電圧から上記被測定電流を算出する被測定電流算出手段と、を備えた構成である。【００１７】
上記の構成によれば、電流測定装置は、上記電流センサの第１の端子と第２の端子との間の端子間電圧より、被測定導体を流れる被測定電流が測定される。上記端子間電圧は、上記電極間電圧に等しい。詳細には、上記電流センサでは、上記誘導電流がコンデンサに蓄積されることで、上記コンデンサの電極間電圧に変換される。上記電流測定装置は、上記コンデンサから上記電流測定装置に流入する電流に基づき、上記電極間電圧を測定する。そして、上記電流測定装置は、上記電極間電圧から上記被測定電流を算出する。【００１８】
以上のように、上記電流測定装置は、上記電流センサの上記電極間電圧から、被測定電流を算出する。このとき、前述のように、比較的高いエネルギーの（Ｓ／Ｎのよい）電流が、上記電流センサから上記電流測定装置に流入するので、上記電流測定装置は、上記電極間電圧から正確な上記被測定電流を算出することができる。特に、被測定電流、および上記被測定電流を一次電流として発生する誘導電流が弱い場合であっても、正確な被測定電流を算出することができる。【００１９】
また、上記の課題を解決するために、本発明の一態様に係る漏電検出装置は、交流電源を備えた電気回路であるＡＣ系統からの漏れ電流を検出する漏電検出装置であって、上記ＡＣ系統の接地線に対して、上記交流電源が発生させる系統周波数とは異なる注入周波数を有する交流電圧を印加することにより、上記ＡＣ系統に注入信号を注入する信号注入部と、上記被測定電流として上記漏れ電流を測定する上記電流測定装置と、上記電流測定装置が測定した上記漏れ電流から、上記系統周波数の信号成分を除去する特定周波数成分除去手段と、上記特定周波数成分除去手段によって上記系統周波数の信号成分が除去された上記漏れ電流を、上記注入信号の特定位相と同期して検出することにより、上記注入周波数の信号成分である注入信号成分を上記漏れ電流から抽出する特定周波数成分抽出手段と、上記特定周波数成分抽出手段によって抽出された上記注入信号成分を、上記交流電圧に対する対地絶縁抵抗の応答分と、上記交流電圧に対する対地静電容量の応答分とに分離して、上記対地絶縁抵抗の応答分から対地絶縁抵抗を算出する漏電情報算出手段と、を備えた構成である。【００２０】
上記の構成によれば、信号注入部が、ＡＣ系統の接地線に対して注入信号を注入する。この注入信号が微弱である場合、漏れ電流に含まれる注入信号成分の強度が弱いことになる。ところが、上記電流測定装置は、前述のように、被測定電流（漏れ電流）が弱い場合であっても、上記被測定電流を正確に算出することができる。従って、上記漏れ電流に含まれる注入信号成分も正確に算出することができる。【００２１】
このようにして、上記電流測定装置が上記注入信号成分を正確に算出することができる。そのため、上記注入信号成分から、上記漏電検出装置の各手段によって、対地絶縁抵抗が正確に算出されることになる。
【発明の効果】
【００２２】
本発明は、微小な電流を精度よく測定することができるという効果を奏する。
【図面の簡単な説明】
【００２３】
【図１】本発明の実施形態１に係る電流測定装置の構成を示す図である。
【図２】本発明の実施形態２に係る漏電検出システムの構成を示す図である。
【図３】あるＡＣ系統の漏れ電流のパワースペクトルを示す図である。
【図４】磁気シェイキングを行った電流センサによる電流信号の検出結果の一例を示すグラフである。
【図５】図１に示す電気回路が備えたコンデンサおよび抵抗に求められる望ましい特性を示す表である。
【図６】従来の電流測定装置の構成を示す模式図である。
【発明を実施するための形態】
【００２４】
〔実施形態１〕
以下、本発明の一実施形態について、図１および図５を用いて詳細に説明する。
【００２５】
[１．電流測定装置１]
図１を用いて、本実施形態に係る電流測定装置１の構成を説明する。図１は、電流測定装置１の構成を示す模式図である。電流測定装置１は、電流センサ１００および測定器本体（電圧測定器）２００を備えている。電流センサ１００は、測定器本体（電圧測定部）２００に対し、取り付けおよび取り外しをすることができる。電流センサ１００を測定器本体２００に取り付ける際、電流センサ１００の２つの出力端子１０５ａ、１０５ｂが測定器本体２００の対応する入力端子２０４ａ、２０４ｂにそれぞれ接続される。
【００２６】
[２．電流センサ１００]
電流センサ１００は、磁気コア１０１、検出コイル（コイル部）１０２、コンデンサ１０３、抵抗１０４、および出力端子１０５ａ、１０５ｂを備えている。
【００２７】
磁気コア１０１は、環状に形成された磁性体である。被測定導体Ｍが、磁気コア１０１の中心に設けられた穴を貫通している。検出コイル１０２は、磁気コア１０１に３０００回巻き付けられている。検出コイル１０２、コンデンサ１０３、および抵抗１０４は、図１に示す電気回路ＥＣを構成している。
【００２８】
強度および／または方向の変化する電流Ｉ０（以下、一次電流Ｉ０と呼ぶ）が、被測定導体Ｍを流れるとき、磁気コア１０１に磁束変化が生じる。その結果、磁気コア１０１に巻き付けられた検出コイル１０２の２つの端子間に誘導電圧（端子間電圧）が生じる。一次電流Ｉ０に含まれる周波数ωの周波数成分により、周波数ωの上記誘導電圧が生じる。上記誘導電圧は、電気回路ＥＣを流れる誘導電流Ｉを励起する。コンデンサ１０３は、抵抗１０４と合わせてローパスフィルタとして機能することにより、電気回路ＥＣに加わる高周波ノイズを吸収する。
【００２９】
［２−ａ．コンデンサ１０３について］
図１に示すコンデンサ１０３は、被測定導体Ｍを流れる一次電流によって電気回路ＥＣに誘導励起される誘導電流Ｉを、電圧Ｖに変換するためのものである。コンデンサ１０３は、出力端子１０５ａ、１０５ｂが解放されているとき、数１０Ｖ以上の電圧を電極間に許容する特性を有している。
【００３０】
ここで、コンデンサ１０３および抵抗１０４に求められる望ましい特性を、図５の表に示す。図５に示すように、電気回路ＥＣを流れる電流を増大させるために、コンデンサ１０３の容量は大きいことが望ましい。一方で、コンデンサ１０３の電極間の電圧を増大させるために、容量は小さいことが望ましい。これらの望ましい特性同士は矛盾している。しかしながら、実際には、コンデンサ１０３は、電気回路ＥＣを流れる電流が微小であっても、通常のアンプに取得されるだけの十分な電圧Ｖを電極間に発生させることができ、かつ、上記電圧Ｖを許容することができる性能を有していればよい。
【００３１】
例えば、被測定導体Ｍを、３．５μＡの電流が流れ、２次側の電流として電気回路ＥＣをＩ＝３．５μＡ／３０００＝１．２ｎＡ、周波数ｆ＝６０Ｈｚの漏電電流が流れる場合を考える。なお、上の式において、数値３０００は、市販されている一般的な電流センサにおける検出コイルの巻き数の例である。このとき、コンデンサ１０３の電極間に発生する電圧Ｖの概算は、Ｖ＝Ｗ×Ｉ×ｔ／Ｃ＝９．３μＶとなる。この電圧Ｖ＝９．３μＶは、測定器本体２００が備えた一般的な計測アンプで取得できるレベルの大きさである。
【００３２】
ここで、測定器本体２００により測定される電圧Ｖを概算するための積算時間ｔ＝０．０１６７秒／２、コンデンサ１０３の容量Ｃ＝０．９２μＦとした。ここで、０．０１６７秒は６０Ｈｚの電力系統の１周期である。なお、Ｗは、抵抗１０４の抵抗値Ｒが無限大の場合に電気回路ＥＣで発現する電圧に対する、抵抗１０４の抵抗値が有限値Ｒである電気回路ＥＣで発現する電圧の割合である。
【００３３】
［２−ｂ．抵抗１０４について］
抵抗１０４は、電流センサ１００による上記一次電流の測定帯域内において、電気回路ＥＣのＬＣ共振により蓄積するエネルギーを、速やかに散逸させるためのものである。そのため、図５に示すように、抵抗１０４の抵抗値Ｒ（Ω）、およびコンデンサ１０３の容量値Ｃ（Ｆ）は、ＲおよびＣにより決定される時定数が、上記ＬＣ共振の共振周期と比較して、１／１０以下であるように選択されることが望ましい。なお、上記共振周期は、実験的に知ることもできる。具体的には、電気回路ＥＣから抵抗１０４の接続部分を除いた構成（電気回路ＥＣ´）の減衰振動の周期から、上記共振周期を知ることができる。
【００３４】
発明者は、以下の条件下で、各パラメータを決定した。磁気コア１０１の内径は１６ｍｍであった。また、検出コイル１０２は、磁気コア１０１に巻き数３０００で巻き付けられていた。上記ＬＣ共振の共振周期が概略５０ｍｓｅｃとなるように、抵抗値Ｒと容量値Ｃ＝０．９μＦとを実験的に合わせこんだ。また、こうして得られた共振周期に従って、時定数は、共振周期の１／１０である５ｍｓｅｃに設定した。時定数を５ｍｓｅｃに設定するために、Ｒ＝４．７ｋΩとした。Ｃ＝０．９μＦと組み合わせた場合、減衰の時定数は４．３ｍｓｅｃとなり、共振周期の１／１０より小さい。従って、電気回路ＥＣは望ましい特性を得ることができる。
【００３５】
比較のため、上記電気回路ＥＣ´におけるＬＣ共振を考える。この電気回路ＥＣ´では、回路全体のインピーダンスＺ０´＝ｊωＬ＋１／ｊωＣがゼロとなる共振周波数ω０´＝１／√（ＬＣ）において、ＬＣ共振が発生する。ここで、ωは上記一次電流の周波数である。
【００３６】
電気回路ＥＣ´の減衰α´は、理想的にはゼロである。そのため、上記誘導電流に含まれる上記共振周波数ω０の信号成分は、外部から周波数ω０´の誘導電圧が印加されることによって増幅する。このような共振周波数ω０の信号成分の増幅は、電気回路ＥＣ´の動作を不安定にするために好ましくない。
【００３７】
一方、電気回路ＥＣは、抵抗値Ｒに依存する有限の減衰αを有する。この減衰αは、電気回路ＥＣ内で共振周波数ω０の電流信号成分が増幅することを抑制する。すなわち、電気回路ＥＣでは、抵抗１０４がＬＣ共振を抑制する。
【００３８】
図５に示すように、電気回路ＥＣを流れる電流を増大させ、また測定器本体２００で高い測定電圧を得るために、抵抗１０４の抵抗値Ｒは、十分に大きいことが望ましい。その理由は、抵抗１０４の抵抗値Ｒが大きいほど、コンデンサ１０３を流れて電圧の発現に寄与する電流の比率が大きくなるためである。
【００３９】
例えば、電気回路ＥＣを流れる電流の周波数ｆ＝６０Ｈｚであり、Ｃ＝０．９２μＦ、Ｒ＝４．７ｋΩである場合、コンデンサ１０３のリアクタンスは、1／（２πｆＣ）＝２８８３Ωとなる。従って、コンデンサ１０３のリアクタンス２８８３Ωよりも、抵抗１０４のインピーダンス４７００Ωのほうが大きいことになる。このとき、コンデンサ１０３と抵抗１０４とを合わせた電気回路ＥＣで発現する電圧は、抵抗１０４の抵抗値が無限大の場合に上記回路で発現する電圧を１００％としたとき、Ｗ＝４７００／（√２８８３＾２＋４７００＾２）＝８５％となる。なお、Ｗが所定の割合以上となるように、ＲおよびＣを選択してもよい。
【００４０】
［３．測定器本体２００］
測定器本体２００は、電圧計２０１、ＣＰＵ（被測定電流算出手段）２０２、記憶部２０３、および入力端子２０４ａ、２０４ｂを備えている。電圧計２０１は、入力端子２０４ａ、２０４ｂ間の電圧Ｖｘを測定するものである。ＣＰＵ（被測定電流算出手段）２０２は、測定器本体２００において実行される演算処理およびその他の処理を制御するものである。記憶部２０３は、被測定導体Ｍを流れる一次電流Ｉ０と、被測定導体Ｍを一次電流Ｉ０ｒｍｓが流れるときに、コンデンサ１０３に印加される電圧Ｖｃとの対応関係を示すＩ０−Ｖｃテーブル（端子間電圧−被測定電流テーブル）を記憶している。
【００４１】
ここで、図１を用いて、周波数ごとのＩ０−Ｖｃテーブルの算出方法を簡単に説明する。
【００４２】
一次電流Ｉ０に起因して、電気回路ＥＣを誘導電流Ｉが流れるとき、コンデンサ１０３に電流Ｉ１が流れ、抵抗１０４に電流Ｉ２が流れる。Ｉ＝Ｉ１＋Ｉ２である。また、コンデンサ１０３および抵抗１０４に印加される電圧は等しくＶｃである。従って、Ｉ１＝Ｃ・ｄＶｃ／ｄｔであり、Ｉ２＝Ｖｃ／Ｒである。以上により、Ｉ＝Ｉ１＋Ｉ２＝Ｃ・ｄＶｃ／ｄｔ＋Ｖｃ／Ｒとなる。このように、誘導電流Ｉと電圧Ｖｃとの関係式が決定する。
【００４３】
また、誘導電流Ｉと一次電流Ｉ０との関係は、磁気コア１０１の径および磁性体の種類、検出コイル１０２の巻き数、電気回路ＥＣのインピーダンス、およびそれらの周波数依存性等によって定まる。この関係は、実測によって決定される。また、使用される素子の応答の線形性により、周波数ごとにゲインは一定となり、一次電流Ｉ０のゼロ点は、誘導電流Ｉのゼロ点となる。これにより、Ｉ０−Ｖｃテーブルは、上記関係式と、誘導電流Ｉｒｍｓと一次電流Ｉ０ｒｍｓとの関係とから、決定することができる。
【００４４】
［４．電流測定装置１による一次電流Ｉ０の測定］
電気回路ＥＣは線形応答を示す素子のみを含んでいる。そのため、電気回路ＥＣの応答特性で校正することにより、被測定導体Ｍを流れる電流Ｉ０と、測定器本体２００の電圧計２０１が測定する電圧Ｖｘとの関係であるＩ０−Ｖｘ関係、具体的には、電流Ｉ０とＶｘとの間における周波数ごとのゲインおよび位相ずれを、周知の方法で求めることができる。従って、測定器本体２００は、上記Ｉ０−Ｖｘ関係から、一次電流Ｉ０を算出することができることになる。なお、理論上は、電気回路ＥＣの応答特性の再現性が担保されるので、電気回路ＥＣの応答特性の校正のための予備的な測定は、一度だけ実行されればよい。
【００４５】
あるいは、電流測定装置１は、一次電流Ｉ０を以下のように測定してもよい。
【００４６】
ここでは、電流測定装置１による一次電流Ｉ０の測定の流れを説明する。なお、出力端子１０５ａ、１０５ｂと入力端子２０４ａ、２０４ｂとは接続されているとする。
【００４７】
一次電流Ｉ０が被測定導体Ｍを流れたとき、電磁誘導によって、電気回路ＥＣを流れる誘導電流Ｉが励起される。誘導電流Ｉの一部は、コンデンサ１０３に流入し、コンデンサ１０３に電荷Ｑが蓄積される。ここで、コンデンサ１０３の電極間の電圧値をＶとすると、Ｖｃ＝Ｑ／Ｃである。コンデンサ１０３の容量Ｃが大きいほど、検出電圧Ｖｃは小さくなる。なお、誘導電流Ｉの上限値は、一次電流Ｉ０の上限値に対して、検出コイル１０２の巻き数分の１、すなわち１／３０００に制約される。従って、コンデンサ１０３に蓄積される電荷Ｑも、検出コイル１０２の巻き数により制約される。
【００４８】
コンデンサ１０３の電極間の電圧Ｖｃ＝Ｑ／Ｃは、抵抗１０４と、出力端子１０５ａ、１０５ｂの間とに印加される。また、入力端子２０４ａ、２０４ｂの間にも、同じ電圧Ｖｃが印加される。その結果、抵抗１０４および電圧計２０１に対して、コンデンサ１０３に蓄積された電荷Ｑが電流（以下、電流信号と呼ぶ）として流れる。このとき、抵抗１０４の抵抗値Ｒ（例えば、４．７ｋΩ）は、特許文献１に記載のシャント抵抗の抵抗値（数十から数百Ω程度）と比較して大きいので、抵抗１０４を流れる電流信号のエネルギーの割合は比較的小さい。
【００４９】
言い換えれば、特許文献１の測定器本体２０に入力される電流信号のエネルギーと比較して、入力端子２０４ａを通って測定器本体２００の電圧計２０１に入力される電流信号のエネルギーは大きい。
【００５０】
電圧計２０１は、電流センサ１００から入力された上記電流信号に基づき、入力端子２０４ａ、２０４ｂ間の電圧を測定する。この電圧は、コンデンサ１０３の電極間の電圧Ｖｃに等しい。電圧計２０１により測定された電圧Ｖｃは、ＣＰＵ２０２に入力される。
【００５１】
ＣＰＵ２０２は、電圧Ｖｃが入力された後、記憶部２０３から上記Ｉ０−Ｖｃテーブルを取得する。次に、ＣＰＵ２０２は、上記Ｉ０−Ｖｃテーブルまたは上記Ｉ０−Ｖｃ関数に基づき、電圧Ｖｃから、被測定導体Ｍを流れる一次電流Ｉ０を算出する。以上のようにして、電流測定装置１は、コンデンサ１０３の電圧Ｖｃから一次電流Ｉ０を測定する。
【００５２】
［実施形態２］
本実施形態では、図２〜図４を用いて、本発明に係る電流センサを漏電検出装置に適用する適用例を説明する。
【００５３】
［１．漏電検出システム２０００の構成］
図２は、ＡＣ系統３００と、漏電検出装置４００とからなる漏電検出システム２０００の構成を示す模式図である。ＡＣ系統３００は、３相３線式の配電構成である。具体的には、ＡＣ系統３００は、３本の電路Ｘ、Ｙ、Ｚと、交流電圧源３０１、３０２、３０３（交流電源）と、負荷３１１、３１２、３１３とを含む。電路Ｘ、電路Ｙ、電路Ｚは、それぞれ、ＡＣ系統３００のＲ相、Ｓ相、Ｔ相である。交流電圧源３０１、３０２、３０３は、上記の各電路Ｘ、Ｙ、Ｚに交流（以下、系統電流と呼ぶ）を流している。接地線ｅは、ＡＣ系統３００のＢ種接地線である。
【００５４】
Ｒ相は、対地絶縁抵抗ＸＲ１および対地静電容量ＸＣ１からなる対地インピーダンスＺ１を有する。Ｔ相は、対地絶縁抵抗ＸＲ２および対地静電容量ＸＣ２からなる対地インピーダンスＺ２を有する。対地インピーダンスＺ１、Ｚ２からなるＡＣ系統３００全体の対地インピーダンスＺ０は、１／Ｚ＝１／Ｚ１＋１／Ｚ２より求められる。ＡＣ系統３００において漏電が発生する場合、対地絶縁抵抗ＸＲ１、ＸＲ２、対地静電容量ＸＣ１、およびＸＣ２のうちいずれか１つまたは複数の経路を通って、大地に漏れ電流が流れると考えることができる。図２に、Ｒ相およびＴ相の漏電個所を、模式的に電流経路として示している。以下では、対地絶縁抵抗ＸＲ１、ＸＲ２を抵抗分ＸＲ１、ＸＲ２と呼び、対地静電容量ＸＣ１、ＸＣ２を容量分ＸＣ１、ＸＣ２と呼ぶことがある。
【００５５】
［２．漏電検出装置４００の構成］
続いて、図２を用いて、漏電検出装置４００の構成を詳細に説明する。漏電検出装置４００は、信号注入部４０１、漏電電流用電流センサ４０２、およびデータ処理部４０３を含む構成である。漏電検出装置４００の各部の詳細な構成を、以下に説明する。
【００５６】
［２−ａ．信号注入部４０１］
信号注入部４０１は、交流発振器およびアンプからなる発振部４０１１と、６００Ａ定格の信号注入用磁気コア４０１２とを備えている。信号注入部４０１は、発振部４０１１により発生された交流が、磁気コア４０１２に巻き付けられたコイル４０１３を通って流れる構成となっている。信号注入用磁気コア４０１２の中心部には、貫通孔が設けられている。接地線ｅは、上記貫通孔を通っている。
【００５７】
発振部４０１１により発生された交流が、磁気コア４０１２に巻き付けられたコイル４０１３を流れるとき、磁気コア４０１２中の磁束の強さが変化することによって、接地線ｅに誘導電圧が印加される。この誘導電圧によって、接地線ｅを誘導電流（以下、注入信号と呼ぶ）が流れる。この注入信号の第１の経路は、接地線ｅ、電圧源３０２、Ｒ相の電路Ｘ、漏電経路ａおよび／またはｂをこの順で通り、大地より接地線ｅに戻るものである。また、上記注入信号の第２の経路は、接地線ｅから、電圧源３０３、Ｔ相の電路Ｚ、経路ｃおよび／またはｄ、および大地をこの順で通り、接地線ｅに戻るものである。
【００５８】
さて、信号注入用磁気コア４０１２の特徴は、注入信号を注入するために使用される一般的な磁気コアと比較して、接地線ｅに平行な方向の断面積が小さい構成である。これにより、磁気コア４０１２の重さは比較的軽いので、ユーザは容易に磁気コア４０１２を移動させることができる。その一方、接地線ｅに平行な方向の断面積が小さいため、信号注入部４０１は、従来の磁気コアを有する信号注入部と比較して、接地線ｅに発生させることのできる誘導電圧が小さくなっている。具体的に、信号注入部４０１は、接地線ｅに対して、３５ｍＶｒｍｓ程度を上限値とする誘導電圧を発生させることができる。この誘導電圧によれば、例えば、抵抗ＸＲ１およびＸＲ２の合成抵抗値が１０ｋΩである場合、注入信号の電流値は約３．５μＡとなる。
【００５９】
このように微弱な注入信号を漏れ電流から抽出するためには、漏れ電流において、注入信号成分と他の信号成分（特に、系統電流成分）との重なりが小さいことが望ましい。そこで、上記注入信号の周波数（以下、注入周波数と呼ぶ）は、系統周波数の無理数倍となる周波数であることが望ましい。これにより、注入信号成分が、系統周波数成分および、系統周波数の分数倍の周波数を有する高調波成分を含む系統電流成分と重なりにくくなる。具体的に、注入周波数として、以下２パターンが考えられる。
１．系統周波数の１次（６０Ｈｚ）と２次（１２０Ｈｚ）との間の周波数
√（６０×１２０）＝約８５Ｈｚ
２．系統周波数の２次（１２０Ｈｚ）と３次（１８０Ｈｚ）との間の周波数
√（１２０×１８０）＝約１４７Ｈｚ
また、系統周波数の１次の半分（３０Ｈｚ）と１次（６０Ｈｚ）との間の周波数も、注入周波数の候補となり得る。具体的に、注入周波数は、√（３０×６０）＝４２．４２６Ｈｚであってもよい。しかしながら、ＡＣ系統３００は、インバータによって、系統周波数よりも低い周波数を生成する場合がある。この場合、インバータに生成された周波数と４２．４２６Ｈｚの注入周波数とが重なる可能性がある。そのため、３０Ｈｚから６０Ｈｚの間の周波数は、注入周波数として望ましくない。一方、３０Ｈｚより下の周波数領域は、インバータの周波数とも重なりにくくなるので、注入周波数の候補となる。具体的には、√(６０Ｈｚ／２×６０Ｈｚ／３)＝２４．４９Ｈｚなどが、注入周波数の候補となる。
【００６０】
なお、系統周波数が５０Ｈｚの場合、注入周波数は約７１＝√（５０×１００）Ｈｚおよび約１２３＝√（１００×１５０）Ｈｚの２パターンが考えられる。
【００６１】
参考として、図３に、あるＡＣ系統からの漏れ電流のパワーをＦＦＴ演算により測定した測定結果を示す。同図は、約０〜３００Ｈｚの範囲のパワースペクトルである。上記スペクトルにおいて、６０、１２０、１８０、２４０、および３００Ｈｚにみられるパワーピークは、系統電流成分およびその高調波成分によるものである。一方、約８５Ｈｚ、約１４７Ｈｚでは、系統電流成分による漏れ電流への寄与が小さくなっている。そのため、注入周波数が約８５Ｈｚまたは約１４７Ｈｚである場合、漏れ電流において、系統電流成分と注入信号成分との重なりが小さくなることがわかる。
【００６２】
［２−ｂ．漏電電流用電流センサ４０２］
漏電電流用電流センサ４０２は、実施形態１で説明した電流センサ１００と同じ構成を有するセンサである。すなわち、漏電電流用電流センサ４０２は、磁気コア１０１を備えている。さらに、漏電電流用電流センサ４０２は、検出コイル１０２、コンデンサ１０３、および抵抗１０４が接続された電気回路ＥＣを備えている。漏電電流用電流センサ４０２は、磁気コア１０１の中央部に設けられた貫通孔を、接地線ｅが通過するように配置されている。これにより、漏電電流用電流センサ４０２は、交流が接地線ｅを流れるとき、該センサ４０２と電気的に接続された測定器本体２００を流れる誘導電流を誘導励起する。測定器本体２００は、その交流を電流信号として検出する。
【００６３】
この漏電電流用電流センサ４０２は、測定器本体２００と協働して、定格電流に対して非常に微弱な電流も精度良く検出することが要求される。具体的には、漏電電流用電流センサ４０２は、小型の磁気コア４０１２と検出コイル１０２とによって発生される３５ｍＶｒｍｓの電圧を１０ｋΩの抵抗分に印可した際に、接地線ｅを流れる約３．５μＡの電流信号を１次側の電流信号として出力することが要求される。
【００６４】
測定器本体２００は、磁気コア１０１に複数回（例えば、一般的な電流センサでは標準とされる３０００回）巻き付けられた検出コイル１０２に発生する２次側の電流信号（１．２ｎＡ＝３．５μＡ／３０００回）を検出する性能が要求される。すなわち、この例の場合、漏電電流用電流センサ４０２は、定格電流（１００Ａ）比では約−１５０ｄＢの微弱な電流を検出することになる。
【００６５】
漏電電流用電流センサ４０２が検出した漏れ電流信号は、コンデンサ１０３および抵抗１０４で構成され、ローパスフィルタ機能を持つ回路によって、電圧信号に変換される。そして、この電圧信号は、データロガー（１６ｂｉｔ  Ａ／Ｄ）に入力される。
【００６６】
［漏電電流用電流センサの変形例］
なお、漏電電流用電流センサ４０２の一変形例は、磁気コア１０１に対して、数ｋＨｚの高周波（例えば、周波数５ｋＨｚ電流値９０ｍＡの交流）が印加される構成であってもよい。上記高周波は、磁気コア１０１を磁気シェイキング（非特許文献１参照）することによって、微弱な低周波磁界に対する磁気コア１０１の透磁率を向上させる。その結果、漏電電流用電流センサ４０２は、より微弱な電流を検出することが可能となる。
【００６７】
図４に、ある電流センサの磁気コアに磁気シェイキングを行った場合と行わなかった場合とについて、上記電流センサによって２５Ｈｚの微弱な電流信号を検出した測定結果を示す。図４に示すグラフの横軸は、上記電流信号の強度の設定値であり、同グラフの縦軸は、上記電流センサによる上記電流信号の測定結果（測定器本体による検出電圧）である。また、同図において、「励磁あり検出」のグラフが、電流センサに磁気シェイキングを行った場合の測定結果である。また、「励磁なし検出」のグラフが、電流センサに磁気シェイキングを行わなかった場合の測定結果である。
【００６８】
図３より、上記電流信号の設定値が約５０μＡ以下の場合に、磁気シェイキングを行わない電流センサの検出電圧が、上記電流信号に比例していないことがわかる。すなわち、磁気シェイキングが行われない電流センサは、約５０μＡ以下の微弱な電流信号を正しく計測することができない。一方、磁気シェイキングが行われた電流センサによる上記検出電圧は、上記電流信号の設定値によらず、上記電流信号に比例している。従って、磁気シェイキングが行われた場合、電流センサは、約５０μＡ以下の微弱な電流信号であっても、正しく計測することができる。
【００６９】
なお、上記高周波を磁気コアに注入するために使用される電線は、漏電検出システム２０００に含まれるいずれかの電線であってもよいし、それ以外の電線であってもよい。本実施形態では、系統電流が、（主に、６０Ｈｚ（系統周波数）の信号で）漏電電流用電流センサ４０２に対する磁気シェイキングを行う役割を果たしている。
【００７０】
［２−ｃ．データ処理部４０３］
データ処理部４０３は、データ取得部（図示せず）、ノッチフィルタ部（特定周波数成分除去手段）４０３１、ロックイン検出部（特定周波数成分抽出手段）４０３２、およびインピーダンス算出部（漏電情報算出手段）４０３３を含む構成である。
【００７１】
上記データ取得部は、以下のＣｈ１〜Ｃｈ３の電圧信号を受信する。
Ｃｈ１：ＡＣ系統３００を流れる系統電流信号
Ｃｈ２：漏電電流用電流センサ４０２の検出した信号
Ｃｈ３：注入信号
上記データ取得部は、ノッチフィルタ部４０３１、ロックイン検出部４０３２、およびインピーダンス算出部４０３３に上記Ｃｈ１〜Ｃｈ３の電圧信号を送出する。
【００７２】
ノッチフィルタ部４０３１は、上記データ取得部から入力されたＣｈ２の電圧信号から、系統周波数の１、２、３次分に等しい周波数の信号成分（６０Ｈｚ、１２０Ｈｚ、１８０Ｈｚ）を除去するノッチフィルタ処理を行う。
【００７３】
詳細には、ノッチフィルタ部４０３１は、まず、上記データ取得部より入力されるＣｈ１の電圧信号から、系統周波数を計測する。次に、ノッチフィルタ部４０３１は、系統周波数の計測値に基づいて、Ｃｈ２の電圧信号から、系統周波数を有する信号成分を除去する。さらに、ノッチフィルタ部４０３１は、上記系統周波数の計測値の２倍および３倍の周波数を有する信号成分も、上記Ｃｈ２の電圧信号から除去する。これにより、ノッチフィルタ部４０３１は、系統電流信号だけでなく、系統電流信号の２次高調波、および３次高調波も、上記Ｃｈ２の電圧信号から除去することができる。ノッチフィルタ部４０３１は、ノッチフィルタ処理が完了した後、上記Ｃｈ２の電圧信号をロックイン検出部４０３２に出力する。
【００７４】
ロックイン検出部４０３２は、ノッチフィルタ部４０３１からＣｈ２の電圧信号を受信する。また、データ取得部からＣｈ３の電圧信号を受信する。その後、ロックイン検出部４０３２は、Ｃｈ２の電圧信号を注入周波数でロックイン検出する。これにより、ロックイン検出部４０３２は、上記Ｃｈ２の電圧信号から、注入信号成分のみを抽出する。なお、ロックイン検出（同期検波）とは、ある信号に含まれる所望の周波数成分のある位相（特定位相）とタイミングを合わせて上記信号を検出することにより、上記信号から上記所望の周波数成分のみを検出することをいう。ロックイン検出部４０３２は、上記注入信号成分をインピーダンス算出部４０３３に出力する。
【００７５】
インピーダンス算出部４０３３は、上記注入信号成分に基づいて、対地インピーダンスＺ０の対地絶縁抵抗成分および対地静電容量成分を算出する。なお、上記注入信号成分から対地絶縁抵抗および対地静電容量を算出する方法については、例えば、特許文献４に記載されている。
【００７６】
あるいは、インピーダンス算出部４０３３は、ロックイン検出部４０３２によって抽出された上記注入信号成分を、信号注入部４０１が接地線ｅに印加する誘導電圧に対する対地絶縁抵抗の応答分と、上記誘導電圧に対する対地静電容量の応答分とに分離して、上記対地絶縁抵抗の応答分から対地絶縁抵抗を算出してもよい。
【００７７】
本発明は上述した実施形態の構成に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【００７８】
本発明は、導体を流れる電流値を測定する電流センサ等に利用することができる。
【符号の説明】
【００７９】
１  電流測定装置
１００  電流センサ
１０２  検出コイル（コイル部）
１０３  コンデンサ
１０４  抵抗
２００  測定器本体（電圧測定部）
２０２  ＣＰＵ（被測定電流算出手段）
４００  漏電検出装置
４０３１  ノッチフィルタ部（特定周波数成分除去手段）
４０３２  ロックイン検出部（特定周波数成分抽出手段）
４０３３  インピーダンス算出部（漏電情報算出手段）
【図１】
2014136589.tif 000003
【図２】
2014136589.tif 000004
【図３】
2014136589.tif 000005
【図４】
2014136589.tif 000006
【図５】
2014136589.tif 000007
【図６】
2014136589.tif 000008
【国際調査報告】
2014136589.tif 000009
2014136589.tif 000010